(57)【要約】【課題】暖房起動時に、いわゆるドラフト感を使用者に生じさせにくくしながらも、暖房起動時の目標室温への到達時間を短縮させることができる空気調和機を提供する。【解決手段】本発明の空気調和機は、圧縮機１２と、室内ファン２２と、室内熱交換器２０と、室内熱交換器中の冷媒の温度である熱交温度を検出する熱交温度センサー２６と、室外熱交換器１４と、制御部８とを備え、制御部８は、暖房起動時に小風量モード及び大風量モードを含み、制御部８は、暖房起動時における室内温度Ｂが第１温度Ｂ１未満である場合には、小風量モードを実行し、次に、室内熱交温度Ｃが暖房起動時からの上昇過程において人の皮膚温度に基づいて設定された第２温度Ｃ２から第３温度Ｃ３までの範囲内にあるとき、大風量モードを実行する。【選択図】図２
2020020558.tif 000002
【特許請求の範囲】
【請求項１】
冷媒を圧縮する圧縮機と、
室内に空気を吹き出す室内ファンと、
上記冷媒と上記室内ファンにより吹き出される空気とを熱交換する室内熱交換器と、
室内温度を検出する室温検知部と、
上記室内熱交換器における熱交温度を検出する熱交温度検知部と、
外気と上記冷媒とを熱交換する室外熱交換器と、
上記室内ファンを制御する制御部と、を備え、
この制御部は、暖房起動時に上記室内ファンから所定の小風量を吹き出す小風量モード及び上記室内ファンから所定の大風量を吹き出す大風量モードを含み、
上記制御部は、暖房起動時における上記室内温度が第１温度未満である場合には、上記小風量モードを実行し、次に、上記熱交温度が暖房起動時からの上昇過程において人の皮膚温度に基づいて設定された第２温度から第３温度までの範囲内にあるとき、上記大風量モードを実行する、空気調和機。
【請求項２】
上記制御部は、さらに、上記熱交温度が暖房起動時からの上昇過程において上記第２温度に到達して以後、上記熱交温度が上記第３温度に達するまでは、上記室内ファンの回転数を減少させないように制御する回転数非減少モードを備える、請求項１に記載の空気調和機。
【請求項３】
上記第１温度は、８℃〜１２℃の範囲内に設定される、請求項１又は２に記載の空気調和機。
【請求項４】
上記第２温度は、２８℃〜３３℃の範囲内に設定される、請求項１乃至３の何れか１項に記載の空気調和機。
【請求項５】
上記第３温度は、３６℃〜４０℃の範囲内に設定される、請求項１乃至４の何れか１項に記載の空気調和機。
【発明の詳細な説明】
【技術分野】
【０００１】
本発明は、空気調和機に関する。
【背景技術】
【０００２】
従来から、例えば、特許文献１に示すような空気調和機が知られている。この空気調和機は、暖房起動時に圧縮機構から室内熱交換器に向けて送られる冷媒の圧力が所定の高圧閾値に達するまで、室内ファンを停止させる。これにより、冷媒の圧力が高圧になるまでの時間を短縮させ、冷媒が高温にできるまでの時間を短縮させる。また、この空気調和機は、暖房起動時に、室内熱交換器を通過する冷媒の温度が所定の熱交温度に達するまで、室内ファンを停止させる室内熱交温度制御も選択的に行っている。
【先行技術文献】
【特許文献】
【０００３】
【特許文献１】特開２０１０−２６１６９８号公報
【発明の概要】
【発明が解決しようとする課題】
【０００４】
しかしながら、特許文献１に示すような従来の空気調和機により暖房起動時の温風を迅速に提供しようとする場合、暖房起動時に使用者の皮膚温度より低い風が使用者に当たることにより使用者の体感温度が下がり不快に感じる、いわゆるドラフト感を使用者に生じさせる問題がある。
一方で、このドラフト感を使用者に生じさせることを防ぐために、室内ファンを熱交温度に応じた風量となるように制御する場合には、暖房起動時における室内温度が比較的低いときに、熱交温度も比較的低くなり、室内ファンの風量が低下し、暖房起動時の目標室温への到達時間が比較的長くなるという問題が生じる。
【０００５】
そこで、本発明は、暖房起動時に使用者の皮膚温度より低い風が使用者に当たることにより使用者の体感温度が下がり不快に感じる、いわゆるドラフト感を使用者に生じさせにくくしながらも、暖房起動時の目標室温への到達時間を短縮させることを目的としている。
【課題を解決するための手段】
【０００６】
上述した課題を解決するために、本発明は、冷媒を圧縮する圧縮機と、室内に空気を吹き出す室内ファンと、上記冷媒と上記室内ファンにより吹き出される空気とを熱交換する室内熱交換器と、室内温度を検出する室温検知部と、上記室内熱交換器における熱交温度を検出する熱交温度検知部と、外気と上記冷媒とを熱交換する室外熱交換器と、上記室内ファンを制御する制御部と、を備え、この制御部は、暖房起動時に上記室内ファンから所定の小風量を吹き出す小風量モード及び上記室内ファンから所定の大風量を吹き出す大風量モードを含み、上記制御部は、暖房起動時における上記室内温度が第１温度未満である場合には、上記小風量モードを実行し、次に、上記熱交温度が暖房起動時からの上昇過程において人の皮膚温度に基づいて設定された第２温度から第３温度までの範囲内にあるとき、上記大風量モードを実行することを特徴としている。
このように構成された本発明においては、制御部は、暖房起動時における室内温度が第１温度未満である場合には、小風量モードを実行し、次に、熱交温度が暖房起動時からの上昇過程において人の皮膚温度に基づいて設定された第２温度から第３温度までの範囲内にあるとき、大風量モードを実行する。これにより、暖房起動時に使用者の皮膚温度より低い風が使用者に当たることにより使用者の体感温度が下がり不快に感じる、いわゆるドラフト感を使用者に生じさせにくくしながらも、暖房起動時の目標室温への到達時間を短縮させることができる。
【０００７】
本発明において、好ましくは、上記制御部は、さらに、上記熱交温度が暖房起動時からの上昇過程において上記第２温度に到達して以後、上記熱交温度が上記第３温度に達するまでは、上記室内ファンの回転数を減少させないように制御する回転数非減少モードを備える。
このように構成された本発明においては、制御部は、さらに、熱交温度が暖房起動時からの上昇過程において第２温度に到達して以後、熱交温度が第３温度に達するまでは、室内ファンの回転数を減少させないように制御する回転数非減少モードを備える。これにより、熱交温度が暖房起動時からの上昇過程において第２温度に到達して以後は、熱交温度が第２温度未満に低下したとしても、室内ファンにより大風量の供給を維持し、暖房起動時の目標室温への到達時間をより短縮させることができる。
【０００８】
本発明において、好ましくは、上記第１温度は、８℃〜１２℃の範囲内に設定される。
このように構成された本発明においては、室内温度Ｂが８℃〜１２℃の範囲内に設定された第１温度未満である場合に、小風量モード、大風量モード等の実行により、暖房起動時に使用者の皮膚温度より低い風が使用者に当たることにより使用者の体感温度が下がり不快に感じる、いわゆるドラフト感を使用者に生じさせにくくしながらも、暖房起動時の目標室温への到達時間を短縮させることができる。
【０００９】
本発明において、好ましくは、上記第２温度は、２８℃〜３３℃の範囲内に設定される。
このように構成された本発明においては、第２温度は、比較的低い室内温度に対応する人の皮膚温度に基づいて設定された、２８℃〜３３℃の範囲内に設定されることができる。これにより、暖房起動時に使用者の皮膚温度より低い風が使用者に当たることにより使用者の体感温度が下がり不快に感じる、いわゆるドラフト感を使用者に生じさせにくくしながらも、暖房起動時の目標室温への到達時間を短縮させることができる。
【００１０】
本発明において、好ましくは、上記第３温度は、３６℃〜４０℃の範囲内に設定される。
このように構成された本発明においては、第３温度は、比較体高い室内温度に対応する人の皮膚温度に基づいて設定された、３６℃〜４０℃の範囲内に設定されることができる。これにより、制御部は、熱交温度が第３温度より大きくなっていない場合に、熱交温度が依然として使用者の想定の皮膚温度の上限を超えるほどには上昇しておらず、大風量モードにより室内温度の上昇をより促進させることができる状態であると判断できる。
【発明の効果】
【００１１】
本発明の空気調和機によれば、暖房起動時に使用者の皮膚温度より低い風が使用者に当たることにより使用者の体感温度が下がり不快に感じる、いわゆるドラフト感を使用者に生じさせにくくしながらも、暖房起動時の目標室温への到達時間を短縮させることができる。
【図面の簡単な説明】
【００１２】
【図１】本発明の一実施形態による空気調和機の概略構成図である。
【図２】本発明の一実施形態による空気調和機による暖房起動時の制御内容を示すフローチャートである。
【図３】本発明の一実施形態による空気調和機及び比較例による暖房起動時の風量、室内温度、熱交換器温度と時間との関係をそれぞれ示す線図である。
【発明を実施するための形態】
【００１３】
以下、図１を参照して、本発明の一実施形態による空気調和機について説明する。
図１は本発明の一実施形態による空気調和機の概略構成図である。
空気調和機１は、室外に設けられる室外機２と、暖房しようとする室内に設けられる室内機４と、室外機２と室内機４を接続して冷媒を循環させる冷媒配管６を備えている。更に、空気調和機１は、室外機２及び室内機４を制御する制御装置８と、使用者が操作するリモコンスイッチ１０を備えている。
【００１４】
室外機２は、冷媒を圧縮する圧縮機１２と、室外熱交換器１４と、冷媒を減圧させる膨張弁１６と、室外から外気を吸い込む室外ファン１８と、を備えている。室外熱交換器１４は、室外ファン１８によって導入される外気と冷媒とを熱交換させる。
【００１５】
室内機４は、冷媒と室内空気とを熱交換させる室内熱交換器２０と、室内に熱交換された空気を吹き出す室内ファン２２と、室内の室内温度を検知する室温検知部である室内温度センサー２４と、室内熱交換器２０中の冷媒の温度に基づく熱交温度を検出する熱交温度センサー２６とを備えている。この熱交温度センサー２６は冷媒配管６の外面に取付けられている。熱交温度センサー２６は、室内熱交換器２０内において冷媒が主に二相域となる部分の冷媒の温度に対応する熱交温度を検知する。なお、熱交温度と室内機４の吹き出し口の吹出温度とは相関があるため、この熱交温度センサー２６に代えて、吹出温度検知センサーを室内機４の吹き出し口に配置し、この吹出温度検知センサーにより検知された吹出温度から、又は、吹出温度から熱交温度を推定して、同様の制御を行ってもよい。
圧縮機１２、室内熱交換器２０、膨張弁１６及び室外熱交換器１４は、上述した冷媒配管６により接続され、冷凍サイクルを構成している。
【００１６】
上述したリモコンスイッチ１０により、使用者は、目標室温を設定できる。ここで、目標室温は、例えば室内中央の目標室温である。
【００１７】
制御装置８は、例えば室外機２の圧縮機１２、室外ファン１８及び膨張弁１６、室内機４の室内ファン２２、室内温度センサー２４、熱交温度センサー２６及びリモコンスイッチ１０と電気的に接続されている。制御装置８は、基板上に配置されたＣＰＵ及びメモリ等を備え、メモリ等に記憶された所定の制御プログラム、リモコンスイッチ１０から受信した指令信号等に基づいて、電気的に接続されている機器の制御を行うことができる。
【００１８】
制御装置８は、暖房起動時における室内温度Ｂが１０℃（第１温度Ｂ１）未満である場合には、室内熱交温度Ｃが暖房起動時からの上昇過程において人の皮膚温度に基づいて設定された３２℃（第２温度Ｃ２）から３８℃（第３温度Ｃ３）までの範囲内にあるとき、室内ファン２２を大風量設定に対応する回転数により駆動させる暖房起動時大風量モードを備える。ここで、上述した１０℃（第１温度Ｂ１）は８℃から１２℃の範囲内であればよく、３２℃（第２温度Ｃ２）は、２８℃〜３３℃の範囲内の温度であればよく、３８℃（第３温度Ｃ３）は、３６℃〜４０℃の範囲内の温度であればよい。
大風量設定は、室内機４からの吹き出しの風量Ａ（図３参照）の小風量から大風量までの設定範囲のうち、最も多いレベルの風量の段階に設定される。なお、大風量設定は、必ずしも吹き出しうる最高の風量である必要はなく、最も多いレベルの風量を含む一定範囲内の風量で設定されればよい。例えば、大風量設定は、小風量から大風量までの３段階又は５段階の設定範囲のうち、最も多い風量の段階として設定される。大風量設定は、空気調和機１の出力に対応する大風量として設定され、３．５ｋｗの出力に対応する大風量は例えば１１[ｍ3／ｍｉｎ]であり、５ｋｗの出力に対応する大風量は例えば１３[ｍ3／ｍｉｎ]である。
【００１９】
制御装置８は、さらに、暖房起動時における室内温度Ｂが１０℃（第１温度Ｂ１）未満である場合には、室内熱交温度Ｃが暖房起動時からの上昇過程において３２℃（第２温度Ｃ２）に達するまでは、室内ファン２２を小風量設定に対応する回転数により駆動させる暖房起動時小風量モードを備える。小風量設定は、室内機４からの吹き出しの風量Ａ（図３参照）の小風量から大風量までの設定範囲のうち、最も少ないレベルの風量の段階に設定される。なお、小風量設定は、必ずしも吹き出しうる最低の風量である必要はなく、最も少ないレベルの風量を含む一定範囲内の風量で設定されればよい。例えば、小風量設定は、小風量から大風量までの３段階又は５段階の設定範囲のうち、最も少ない風量の段階として設定される。
制御装置８は、さらに、室内熱交温度Ｃが暖房起動時からの上昇過程において３２℃（第２温度Ｃ２）に到達して以後、室内熱交温度Ｃが３８℃（第３温度Ｃ３）に達するまでは、室内ファン２２の回転数を減少させないように制御する回転数非減少モードを備える。
【００２０】
制御装置８は、さらに、室内熱交温度Ｃが低下する場合には、室内ファン２２の回転数を低下させ、且つ、室内熱交温度Ｃが上昇する場合には、室内ファン２２の回転数を上昇させる熱交温度対応風量制御モードを備える。
【００２１】
つぎに、図２により、本発明の一実施形態による空気調和機の暖房起動時の制御内容について説明する。図２において、Ｓは各ステップを示している。
【００２２】
図２に示すように、最初に、Ｓ１において、使用者がリモコンスイッチ１０を操作して暖房の操作指令を制御装置８に送信し、空気調和機１の暖房運転を開始させる。
【００２３】
次に、Ｓ２に進み、暖房起動時における室内温度Ｂが１０℃（第１温度Ｂ１）未満か否かを判定する。室内温度Ｂが１０℃未満でない場合には、居室の室内温度Ｂが比較的高く、熱交温度対応風量制御モードにより比較的早く室内中央を目標室温まで暖房できる環境であると判断できるので、Ｓ８に進み、通常の熱交温度に対応した風量を吹き出す熱交温度対応制御モードを実行する。
制御装置８は、室内温度Ｂが１０℃未満である場合には、居室の室内温度Ｂが１０℃未満の比較的低い温度であり、暖房起動時小風量モード、回転数非減少モード、暖房起動時大風量モード等の実行により、熱交温度対応風量制御モードの実行によるよりも早期に室内中央を目標室温まで暖房できる環境であると判断できるので、Ｓ３に進む。
【００２４】
次に、Ｓ３に進み、制御装置８は、上述した暖房起動時小風量モードを実行する。
次に、Ｓ４に進み、室内熱交温度Ｃが暖房起動時からの上昇過程において人（使用者）の皮膚温度に基づいて設定された３２℃（第２温度Ｃ２）以上となるか否かを判定する。３２℃（第２温度Ｃ２）は、室内温度Ｂが１０℃未満であるような低温環境における人の皮膚温度として設定される。
【００２５】
室内熱交温度Ｃが３２℃（第２温度Ｃ２）以上ではないと判定された場合には、Ｓ３に戻り、暖房起動時小風量モードの実行を継続する。
【００２６】
Ｓ４において、室内熱交温度Ｃが３２℃（第２温度Ｃ２）以上であると判定された場合には、Ｓ５に進む。
【００２７】
Ｓ５において、制御装置８は室内熱交温度Ｃが３２℃（第２温度Ｃ２）以上と判定された場合には、上述した暖房起動時大風量モードを実行する。
【００２８】
次に、Ｓ６に進み、制御装置８は暖房起動時大風量モードの実行の開始と並行して、回転数非減少モードを実行する。
この回転数非減少モードを実行することにより、室内熱交温度Ｃが３２℃（第２温度Ｃ２）よりも下降したとしても、室内機４から吹き出す風量を大風量Ａ２に維持し、室内温度Ｂの上昇を促進させ、暖房起動時の目標室温への到達時間をより短縮させる。
【００２９】
次に、Ｓ７に進み、制御装置８は室内熱交温度Ｃが暖房起動時からの上昇過程において人の皮膚温度に基づいて設定された３８℃（第３温度Ｃ３）より高温であるか否かを判定する。３８℃（第３温度Ｃ３）は、室内温度Ｂが暖房起動時の温度よりも上昇し且つ目標室温以下であるような環境における人の想定上限の皮膚温度である。
【００３０】
制御装置８は、室内熱交温度Ｃが３８℃（第３温度Ｃ３）より高温ではない場合、すなわち３８℃以下の場合には、室内熱交温度Ｃが依然として使用者の想定の皮膚温度の上限を超えるほどには上昇しておらず、暖房起動時大風量モードにより室内温度Ｂの上昇をより促進させることができる状態であると判断できるので、Ｓ５に戻る。
制御装置８は、室内熱交温度Ｃが３８℃（第３温度Ｃ３）より高温となっていると判定される場合には、Ｓ８に進む。Ｓ８では、室内熱交温度Ｃが使用者の想定上限の皮膚温度を超える程度まで上昇しているので、通常の熱交温度対応風量制御モードを実行する。
【００３１】
次に、図２及び図３により、本発明の一実施形態による空気調和機及び比較例の空気調和機による暖房起動時の風量、室内温度、熱交換器温度と時間との関係を説明する。
図２のＳ１において、使用者が空気調和機１の暖房運転を開始させる。空気調和機１の暖房運転の開始時間（開始時刻）は、図３において時間ｔ０により示される。時間ｔ０における室内温度Ｂは、室内温度Ｂ０であり、室内熱交温度Ｃもほぼ室内温度Ｂ０と同じ温度となっている。室内温度Ｂ０が１０℃未満の比較的低い温度となっている。
【００３２】
制御装置８はＳ３において暖房起動時小風量モードを実行する。時間ｔ１において室内熱交温度Ｃが所定温度Ｃ１まで上昇すると、室内ファン２２が起動される。室内ファン２２が小風量設定に対応する回転数で回転されるので、室内機４から小風量Ａ１の内気が室内に吹出される。時間ｔ１以後、室内熱交温度Ｃは引き続き上昇する。制御装置８は、室内熱交温度Ｃが上昇したとしても、小風量運転を継続し、室内ファン２２を小風量設定に対応する回転数に維持する。室内機４からは小風量Ａ１の内気が吹出されるのみであるので、室内の室内温度Ｂは、時間ｔ１から後述する時間ｔ２まで室内温度Ｂ０でありほぼ一定となっている。
【００３３】
制御装置８は、Ｓ４に進み、室内熱交温度Ｃが３２℃（第２温度Ｃ２）以上となるか否かを判定する。室内熱交温度Ｃが３２℃以上でないと判定される場合には、室内熱交温度Ｃが依然として人の皮膚温度に到達しておらず、仮に風量を増大させてしまうと、使用者の皮膚温度より低い風が暖房時に使用者に当たることにより使用者の体感温度が下がり不快に感じる、いわゆるドラフト感を使用者に生じさせてしまう可能性があると判断されるので、Ｓ３に戻る。
Ｓ４において、室内熱交温度Ｃが３２℃以上であると判定された場合には、室内熱交温度Ｃが使用者の皮膚温度に到達しており、仮に風量を増大させたとしても、使用者の皮膚温度より高い風が暖房時に使用者に当たり、いわゆるドラフト感を使用者に生じさせにくいと判断されるので、Ｓ５に進む。
【００３４】
Ｓ５において、室内ファン２２を小風量設定に対応する回転数ａ１から大風量設定に対応する回転数ａ２まで上昇させる。室内ファン２２が回転数ａ２で回転されるので、室内機４から大風量Ａ２の内気が室内に吹出される。時間ｔ２以後、室内熱交温度Ｃは一旦第２温度Ｃ２よりも下降する。
【００３５】
Ｓ６において、制御装置８は、時間ｔ２以後回転数非減少モードを実行することにより、室内熱交温度Ｃが暖房起動時からの上昇過程において３２℃に到達して以後、室内熱交温度Ｃが３８℃に達するまでは、室内ファン２２の回転数を減少させないように制御する。よって、室内熱交温度Ｃが第２温度Ｃ２未満に低下したとしても、制御装置８は、室内ファン２２の回転数を下降させず回転数ａ２に維持する。よって、室内熱交温度Ｃが第２温度Ｃ２よりも下降したとしても、室内機４から吹き出す風量を大風量Ａ２に維持し、室内温度Ｂの上昇を促進させ、暖房起動時の目標室温への到達時間をより短縮させる。時間ｔ２以後は、室内機４からは大風量Ａ２の内気が継続して吹出されるので、室内の室内温度Ｂは、時間ｔ２から大きく上昇し、且つ上昇を継続している。このように制御装置８は、暖房起動時大風量モード及び回転数非減少モードを実行した状態で、Ｓ７に進む。
【００３６】
Ｓ７において、時間ｔ３において室内熱交温度Ｃが３８℃より大きくなったと判定された場合、制御装置８は、暖房起動時大風量モード及び回転数非減少モードの実行を終了し、熱交温度対応風量制御モードの実行を開始させる。時間ｔ３において、熱交温度対応風量制御モードにより、室内熱交温度Ｃに基づき、室内ファン２２の回転数が回転数ａ２からわずかに引き上げられて回転数ａ３となっている。室内ファン２２が回転数ａ３で回転されるので、室内機４から大風量Ａ３の内気が室内に吹出される。時間ｔ３以後、室内熱交温度Ｃは、わずかに上昇を継続するものの、変動幅は小さくされ、安定する。時間ｔ３以後、室内熱交温度Ｃに対応して室内ファン２２の回転数は回転数ａ３でほぼ一定となっている。
【００３７】
次に、比較例として、図３を参照して、本発明と同様の条件下（室内温度Ｂ０且つ時間ｔ０に暖房運転を開始）で暖房を起動し、暖房起動時から熱交温度対応風量制御モードを実行した場合における暖房起動時からの風量、室内温度、熱交換器温度の時間経過を説明する。
先ず、空気調和機１の暖房運転が開始されると、制御装置８は、熱交温度対応風量制御モードを実行する。空気調和機１の暖房運転の開始時間は、図３において時間ｔ０により示される。時間ｔ０における室内の室内温度Ｂは、室内温度Ｂ０であり、室内熱交温度Ｃはほぼ室内温度と同じ温度となっている。制御装置８は、暖房の開始準備ができ次第、例えば室内熱交温度Ｃが所定温度Ｃ１まで上昇し次第、時間ｔ１から室内ファン２２を起動させ、熱交温度対応風量制御モードを実行する。
【００３８】
時間ｔ１以後、熱交温度対応風量制御モードにより、時間ｔ１以後、室内熱交温度Ｃが上昇するにつれ、室内ファン２２の回転数がａ１から段階的に上昇されている。これに伴って、室内温度Ｂも徐々に上昇している。室内熱交温度Ｃの上昇に対し段階的に室内ファン２２の回転数を上昇させているため、時間ｔ１からｔ２においては室内ファン２２の回転数がａ１となっている。
比較例において時間ｔ１から時間ｔ３までに室内機４から吹き出される風量の合計は、本実施形態において時間ｔ１から時間ｔ３までに室内機４から吹き出される風量Ａの合計に比べて少なくなっている。従って、比較例及び本実施形態とも時間ｔ３において、室内熱交温度Ｃが第３温度Ｃ３近傍となったとしても、比較例の室内温度Ｂ３’は、本実施形態における室内温度Ｂ３よりも低い値となっている。
【００３９】
上述した本発明の一実施形態による空気調和機１によれば、制御装置８は、暖房起動時における室内温度が第１温度未満である場合には、小風量モードを実行し、次に、室内熱交温度Ｃが暖房起動時からの上昇過程において人の皮膚温度に基づいて設定された第２温度Ｃ２から第３温度Ｃ３までの範囲内にあるとき、大風量モードを実行する。これにより、暖房起動時に使用者の皮膚温度より低い風が使用者に当たることにより使用者の体感温度が下がり不快に感じる、いわゆるドラフト感を使用者に生じさせにくくしながらも、暖房起動時の目標室温への到達時間を短縮させることができる。
【００４０】
さらに、本発明の一実施形態による空気調和機１によれば、制御装置８は、さらに、室内熱交温度Ｃが暖房起動時からの上昇過程において第２温度Ｃ２に到達して以後、室内熱交温度Ｃが第３温度Ｃ３に達するまでは、室内ファン２２の回転数を減少させないように制御する回転数非減少モードを備える。これにより、室内熱交温度Ｃが暖房起動時からの上昇過程において第２温度Ｃ２に到達して以後は、室内熱交温度Ｃが第２温度Ｃ２未満に低下したとしても、室内ファン２２により大風量の供給を維持し、暖房起動時の目標室温への到達時間をより短縮させることができる。
【００４１】
さらに、本発明の一実施形態による空気調和機１によれば、室内温度Ｂが８℃〜１２℃の範囲内に設定された第１温度未満である場合に、小風量モード、大風量モード等の実行により、暖房起動時に使用者の皮膚温度より低い風が使用者に当たることにより使用者の体感温度が下がり不快に感じる、いわゆるドラフト感を使用者に生じさせにくくしながらも、暖房起動時の目標室温への到達時間を短縮させることができる。
【００４２】
さらに、本発明の一実施形態による空気調和機１によれば、第２温度Ｃ２は、比較的低い室内温度Ｂに対応する人の皮膚温度に基づいて設定された、２８℃〜３３℃の範囲内に設定されることができる。これにより、暖房起動時に使用者の皮膚温度より低い風が使用者に当たることにより使用者の体感温度が下がり不快に感じる、いわゆるドラフト感を使用者に生じさせにくくしながらも、暖房起動時の目標室温への到達時間を短縮させることができる。
【００４３】
さらに、本発明の一実施形態による空気調和機１によれば、第３温度Ｃ３は、比較体高い室内温度Ｂに対応する人の皮膚温度に基づいて設定された、３６℃〜４０℃の範囲内に設定されることができる。これにより、制御装置８は、室内熱交温度Ｃが第３温度Ｃ３より大きくなっていない場合に、室内熱交温度Ｃが依然として使用者の想定の皮膚温度の上限を超えるほどには上昇しておらず、暖房起動時大風量モードにより室内温度Ｂの上昇をより促進させることができる状態であると判断できる。
【符号の説明】
【００４４】
１    空気調和機
１２    圧縮機
１４    室外熱交換器
２０    室内熱交換器
２２    室内ファン
Ｂ１    第１温度
Ｃ    熱交温度
Ｃ２    第２温度
Ｃ３    第３温度
【図１】
2020020558.tif 000003
【図２】
2020020558.tif 000004
【図３】
2020020558.tif 000005